(57)【要約】【課題】１枚の台紙に多数の写真を効率良く保持掲示することができるアルバム用台紙の提供。【解決手段】台紙本体に、切込みにより形成された写真保持用凸片が、保持する写真のサイズより小間隔にて複数縦列状に配置されていることを特徴とするアルバム用台紙。【選択図】図１
2009269330.tif 000002
【特許請求の範囲】
【請求項１】
台紙本体に、切込みにより形成された写真保持用凸片が、保持する写真のサイズより小間隔にて複数縦列状に配置されていることを特徴とするアルバム用台紙。
【請求項２】
写真保持用凸片の少なくとも裏面に接着剤層が形成されていることを特徴とする請求項１記載のアルバム用台紙。
【請求項３】
切込みの一部が巾広切除部となっていることを特徴とする請求項１又は２記載のアルバム用台紙。
【請求項４】
巾広切除部によって写真保持用凸片に更に摘み突片が形成されていることを特徴とする請求項３記載のアルバム用台紙。
【請求項５】
台紙本体の裏面全体に接着剤層が形成されていると共に、当該接着剤層に離型紙が被覆されていることを特徴とする請求項２〜４の何れか１項記載のアルバム用台紙。
【請求項６】
接着剤層が、感圧性接着剤層であることを特徴とする請求項２〜５の何れか１項記載のアルバム用台紙。
【請求項７】
台紙本体に、罫線が表示されていることを特徴とする請求項１〜６の何れか１項記載のアルバム用台紙。
【請求項８】
台紙本体に、メモ欄が設けられていることを特徴とする請求項１〜７の何れか１項記載のアルバム用台紙。
【請求項９】
各写真保持用凸片の側方部に位置する台紙本体外縁部に、それぞれ当該各写真保持用凸片の位置を示す番号が表示されていることを特徴とする請求項１〜８の何れか１項記載のアルバム用台紙。
【発明の詳細な説明】
【技術分野】
【０００１】
本発明はアルバム用台紙、更に詳細には、１枚の台紙に多数の写真や葉書等を効率良く保持掲示することができるアルバム用台紙に関する。
【背景技術】
【０００２】
従来よりアルバム用台紙としては種々の形態の保持掲示手段が報告されているが、これらは何れも写真をそのまま見ることができるように、各写真はその全面が露出するように保持掲示されるものであった（例えば特許文献１及び２参照）。
【０００３】
そのため、従来のアルバム用台紙の場合には、１枚の台紙に保持掲示し得る写真は、通常サイズでせいぜい２〜３枚が限度であり、多数の写真を保持掲示するためには、必然的に台紙の枚数も多くならざるを得ないと云う問題があった。
【０００４】
また、写真の４隅を係止する方式の従来のアルバム用台紙の場合には、保持掲示する写真のサイズが限定され、種々の写真のサイズに対応し得ないと云う問題もあった。
【特許文献１】特開２００６−１５０６００号公報
【特許文献２】特開２００６−１０３０８５号公報
【発明の開示】
【発明が解決しようとする課題】
【０００５】
本発明は上記の如き従来の問題に鑑みてなされたもので、１枚の台紙に多数の写真や葉書等を効率良く保持掲示することができ、しかも種々のサイズの写真に対応し得るアルバム用台紙を提供することを課題とする。
【課題を解決するための手段】
【０００６】
本発明者は、上記課題を解決すべく種々検討を重ねた結果、写真を順次一部重ね合せた状態で保持掲示すれば、極めて良い結果が得られることを見い出し、本発明を完成した。
【０００７】
すなわち、本発明は、台紙本体に、切込みにより形成された写真保持用凸片が、保持する写真のサイズより小間隔にて複数縦列状に配置されていることを特徴とするアルバム用台紙により上記課題を解決したものである。
【発明の効果】
【０００８】
本発明によれば、各写真保持用凸片の裏面に、各写真や葉書等の上縁部側表面を粘着テープや接着剤で固定することにより、また写真保持用凸片の裏面に接着剤層が形成されている場合には、そのまま貼着することにより、自然に各写真が縦列方向に順次一部重ね合せられた状態で保持掲示されるので、１枚の台紙に多数の写真を効率良く保持掲示することができる。
【０００９】
また、本発明は、写真保持用凸片の裏面に、写真の上縁部側表面のみを固定して保持掲示するものであるため、特定のサイズに限らず種々のサイズの写真を保持掲示することができる。
【発明を実施するための最良の形態】
【００１０】
以下本発明の実施の形態を図面と共に説明する。
【００１１】
図１〜５において、１０は台紙本体で、その材質は折曲可能なものであれば特に限定されないが、通常アルバム用台紙に用いられる紙等が好適に使用される。
【００１２】
２０は写真保持用凸片で、切込み２１により形成されている。この写真保持用凸片２０の形状は特に限定されないが、例えば半長方形状、半円状、半楕円状の切込み２１によって形成されたものが簡便で好ましい。
【００１３】
切込み２１は、図２及び図３に示す如く、その一部、特に中央部に巾広切除部２１ａを設ければ、写真保持用凸片２０の摘み上げ操作が容易となり有利である。この場合、巾広切除部２１ａによって写真保持用凸片２０の中央部に更に摘み突片２０ａを形成するのがより望ましい。尚、巾広切除部２１ａの巾としては２〜４mm程度が好ましい。
【００１４】
写真保持用凸片２０は、保持する写真のサイズ、就中写真の縦巾寸法より小間隔にて複数（本実施の形態においては９個）縦列状に配置されている。
【００１５】
写真保持用凸片２０の裏面には接着剤層２２が形成されている。この接着剤層２２は、写真保持用凸片２０の裏面のみに形成しても良いが、台紙本体１０の全面に形成するのが生産効率上望ましい。この場合、他部材との接着防止を図るため、適宜離型紙７０で接着剤層２２を被覆するのが望ましい。尚、接着剤としては、感圧性接着剤が写真Ｐのみをより容易に貼着し、且つ必要に応じて離脱し得るので望ましい。
【００１６】
３０は罫線で、台紙本体１０の表面に、縦及び／又は横に適宜間隔で適宜数表示されている。この罫線３０を目安とすることにより、写真Ｐの位置合せが容易となるので、よりスムースな写真Ｐの保持掲示が可能となる。
【００１７】
４０はメモ欄で、台紙本体１０（本実施の形態においては台紙本体１０の右側部）に設けられている。このメモ欄４０に写真Ｐについてのメモを記入することにより、全面が露出していない下層に保持掲示された写真Ｐの内容を把握し得るので、見たい写真を容易に選択して見ることができる。
【００１８】
５０は写真保持用凸片２０の位置を示す番号で、当該写真保持用凸片２０の右側方部に位置する台紙本体１０外縁部（本実施の形態においてメモ欄４０中）に表示されている。この番号により現在保持掲示されている写真の枚数と位置を容易に把握することができる。
【００１９】
６０は穴で、台紙本体１０の右側最外縁部に形設されている。この穴６０を利用すれば、台紙本体１０を適宜数バインダー（アルバム本体）にファイルすることによりアルバムとすることができる。
【００２０】
本発明アルバム用台紙は以上のように構成されているので、例えば写真Ｐを保持掲示するには、単に台紙本体１０の写真保持用凸片２０を上方に摘み上げ、その裏面に写真Ｐの上縁部側表面を粘着テープや接着剤で固定したり、あるいは当該写真保持用凸片２０の裏面の接着剤層２２を利用して貼着するだけで保持固定することができるので極めて簡便である。
【００２１】
同様にして複数枚、例えば９枚の写真Ｐを貼着すれば、図４及び図５に示される如く、最上部の写真保持用凸片２０に貼着された写真Ｐのみが全面露出した状態で保持掲示されるが、それより下位の写真保持用凸片２０に貼着された写真Ｐは、上位の写真により順次一部が重ね合せられた状態で保持掲示される。
而して、下位の写真Ｐを見る場合には、図５に示すように、それより上位の写真を適宜捲り上げ、下位の写真Ｐを全面露出せしめれば良く、極めて簡便である。
【００２２】
尚、以上の実施の形態は、１枚の台紙本体１０を１枚の台紙として使用する形態を示すものであるが、１枚の台紙本体１０に、左右対称形に本発明アルバム用台紙を形成し、二つ折りにすれば、１枚の台紙本体１０を２枚の台紙として使用することもできる。
【図面の簡単な説明】
【００２３】
【図１】本発明アルバム用台紙の概略正面説明図。
【図２】切込みの一部に巾広切除部を設けた状態を示す要部正面説明図。
【図３】切込みの一部に巾広切除部を設けた状態を示す要部拡大断面説明図。
【図４】本発明アルバム用台紙に写真を保持掲示した状態を示す概略正面説明図。
【図５】本発明アルバム用台紙に写真を保持掲示した状態を示す概略拡大断面説明図。
【符号の説明】
【００２４】
１０：台紙本体
２０：写真保持用凸片
２０ａ：摘み突片
２１：切込み
２１ａ：巾広切除部
２２：接着剤層
３０：罫線
４０：メモ欄
５０：番号
６０：穴
７０：離型紙
Ｐ：写真
【図１】
2009269330.tif 000003
【図２】
2009269330.tif 000004
【図３】
2009269330.tif 000005
【図４】
2009269330.tif 000006
【図５】
2009269330.tif 000007